(57)【特許請求の範囲】
【請求項１】
回転軸線を中心に回転する被削材の周面に向けて切れ刃を突出させた切削インサートと、軸状をなし、先端部に前記切削インサートが着脱自在に装着される工具本体と、を有し、前記切れ刃で前記周面に溝入れ加工する刃先交換式溝入れ工具であって、
前記切削インサートは、棒状をなすインサート本体の延在方向の両端部における該インサート本体の上面に一対の切れ刃を備え、前記インサート本体の延在方向の中央及び該延在方向に直交する幅方向の中央を通りこれら延在方向及び幅方向に直交するインサート高さ軸線に関して回転対称、かつ、前記インサート高さ軸線を含み前記延在方向に垂直なインサート仮想平面に関して面対称に形成され、
前記切れ刃は、前記インサート本体の延在方向の端縁に形成されて前記幅方向に沿って延びる正面切れ刃と、この正面切れ刃の両端に配置されて前記幅方向にそれぞれ突出する一対のコーナー部と、前記コーナー部から前記延在方向に沿って該インサート本体の中央側に向かうに従い漸次互いの間隔を狭めるようにそれぞれ延びる一対の側面切れ刃とを有し、
前記工具本体は、前記一対の切れ刃のうち一方の切れ刃を溝入れ方向へ向けて突出させて、前記切削インサートを装着しており、
前記幅方向のうち、前記一対のコーナー部における一方のコーナー部から他方のコーナー部に向かう方向を他方の幅方向として、前記切削インサートは、前記一対の切れ刃のうち他方の切れ刃における前記他方の幅方向とは反対側に位置する一方のコーナー部が、前記一方の切れ刃における前記一方のコーナー部よりも前記他方の幅方向側に配置されており、
前記切削インサートは、前記工具本体に、該工具本体の側方を向く一側面に沿うように配置されており、
前記溝入れ方向は、前記工具本体の先端側へ向かう方向であり、
前記他方の切れ刃における前記他方のコーナー部よりも前記工具本体の中心軸線から離間する方向に位置する前記一方のコーナー部が、前記一方の切れ刃における前記他方のコーナー部よりも前記中心軸線から離間する方向に位置する前記一方のコーナー部に対して、前記中心軸線に近づく方向に配置されていることを特徴とする刃先交換式溝入れ工具。
【請求項２】
回転軸線を中心に回転する被削材の周面に向けて切れ刃を突出させた切削インサートと、軸状をなし、先端部に前記切削インサートが着脱自在に装着される工具本体と、を有し、前記切れ刃で前記周面に溝入れ加工する刃先交換式溝入れ工具であって、
前記切削インサートは、棒状をなすインサート本体の延在方向の両端部における該インサート本体の上面に一対の切れ刃を備え、前記インサート本体の延在方向の中央及び該延在方向に直交する幅方向の中央を通りこれら延在方向及び幅方向に直交するインサート高さ軸線に関して回転対称、かつ、前記インサート高さ軸線を含み前記延在方向に垂直なインサート仮想平面に関して面対称に形成され、
前記切れ刃は、前記インサート本体の延在方向の端縁に形成されて前記幅方向に沿って延びる正面切れ刃と、この正面切れ刃の両端に配置されて前記幅方向にそれぞれ突出する一対のコーナー部と、前記コーナー部から前記延在方向に沿って該インサート本体の中央側に向かうに従い漸次互いの間隔を狭めるようにそれぞれ延びる一対の側面切れ刃とを有し、
前記工具本体は、前記一対の切れ刃のうち一方の切れ刃を溝入れ方向へ向けて突出させて、前記切削インサートを装着しており、
前記幅方向のうち、前記一対のコーナー部における一方のコーナー部から他方のコーナー部に向かう方向を他方の幅方向として、前記切削インサートは、前記一対の切れ刃のうち他方の切れ刃における前記他方の幅方向とは反対側に位置する一方のコーナー部が、前記一方の切れ刃における前記一方のコーナー部よりも前記他方の幅方向側に配置されており、
前記切削インサートは、前記工具本体に、該工具本体の先端側を向く先側面に沿うように配置されており、
前記溝入れ方向は、前記工具本体の中心軸線から離間する方向であり、
前記他方の切れ刃における前記他方のコーナー部よりも前記工具本体の先端側に位置する前記一方のコーナー部が、前記一方の切れ刃における前記他方のコーナー部よりも前記工具本体の先端側に位置する前記一方のコーナー部に対して、前記工具本体の基端側に配置されていることを特徴とする刃先交換式溝入れ工具。
【請求項３】
請求項１又は２に記載の刃先交換式溝入れ工具であって、
前記切削インサートを、前記一方の切れ刃における一対のコーナー部のうち少なくともいずれかのコーナー部及び前記回転軸線を含む工具仮想平面に直交する向きから見て、前記インサート本体の延在方向の中央を通り前記幅方向に沿うインサート幅軸線と前記回転軸線とのなす角度θ１が、０°＜θ１≦５°に設定されることを特徴とする刃先交換式溝入れ工具。
【請求項４】
請求項１又は３に記載の刃先交換式溝入れ工具であって、
前記周面は、被削材の前記回転軸線とは反対側を向く外周面であり、
前記一方の切れ刃は、前記外周面に対して外径溝入れ加工することを特徴とする刃先交換式溝入れ工具。
【請求項５】
請求項２又は３に記載の刃先交換式溝入れ工具であって、
前記周面は、被削材の前記回転軸線側を向く内周面であり、
前記一方の切れ刃は、前記内周面に対して内径溝入れ加工することを特徴とする刃先交換式溝入れ工具。
【請求項６】
請求項１〜５のいずれか一項に記載の刃先交換式溝入れ工具であって、
前記コーナー部は、凸曲線状の第１コーナー刃を有していることを特徴とする刃先交換式溝入れ工具。
【請求項７】
請求項６に記載の刃先交換式溝入れ工具であって、
前記コーナー部は、前記第１コーナー刃における前記インサート本体の延在方向の中央側の端部と前記側面切れ刃とを繋ぐ直線状の第２コーナー刃を有し、
前記切削インサートを、前記一方の切れ刃における一対のコーナー部のうち少なくともいずれかのコーナー部及び前記回転軸線を含む工具仮想平面に直交する向きから見て、前記第２コーナー刃は、被削材の前記回転軸線に対して直交するように延びていることを特徴とする刃先交換式溝入れ工具。
【請求項８】
回転軸線を中心に回転する被削材の周面に向けて切れ刃を突出させた切削インサートと、軸状をなし、先端部に前記切削インサートが着脱自在に装着される工具本体と、を有する刃先交換式溝入れ工具を用いて、前記切れ刃で前記被削材の周面に溝入れ加工する周面溝入れ加工方法であって、
前記切削インサートは、棒状をなすインサート本体の延在方向の両端部における該インサート本体の上面に一対の切れ刃を備え、前記インサート本体の延在方向の中央及び該延在方向に直交する幅方向の中央を通りこれら延在方向及び幅方向に直交するインサート高さ軸線に関して回転対称、かつ、前記インサート高さ軸線を含み前記延在方向に垂直なインサート仮想平面に関して面対称に形成され、
前記切れ刃は、前記インサート本体の延在方向の端縁に形成されて前記幅方向に沿って延びる正面切れ刃と、この正面切れ刃の両端に配置されて前記幅方向にそれぞれ突出する一対のコーナー部と、前記コーナー部から前記延在方向に沿って該インサート本体の中央側に向かうに従い漸次互いの間隔を狭めるようにそれぞれ延びる一対の側面切れ刃とを有し、
前記切削インサートを、前記一対の切れ刃のうち一方の切れ刃を溝入れ方向へ向けて突出させて前記工具本体に装着するとともに、該一方の切れ刃を前記溝入れ方向に沿って移動させることにより前記周面に対して溝入れ加工するときに、
前記幅方向のうち、前記一対のコーナー部における一方のコーナー部から他方のコーナー部に向かう方向を他方の幅方向として、前記一対の切れ刃のうち他方の切れ刃における前記他方の幅方向とは反対側に位置する一方のコーナー部を、前記一方の切れ刃における前記一方のコーナー部よりも前記他方の幅方向側に配置し、
被削材の前記周面は、前記回転軸線に直交する径方向の外側を向く外周面であり、
この被削材のうち、前記外周面に隣接して前記径方向の外側へ向けて立ち上がるとともに前記回転軸線に垂直に形成された端面に対して、前記他方の切れ刃における前記一方のコーナー部を、前記一方の切れ刃における前記端面に沿って前記外周面に切り込む前記一方のコーナー部よりも離間して配置することを特徴とする周面溝入れ加工方法。
【請求項９】
回転軸線を中心に回転する被削材の周面に向けて切れ刃を突出させた切削インサートと、軸状をなし、先端部に前記切削インサートが着脱自在に装着される工具本体と、を有する刃先交換式溝入れ工具を用いて、前記切れ刃で前記被削材の周面に溝入れ加工する周面溝入れ加工方法であって、
前記切削インサートは、棒状をなすインサート本体の延在方向の両端部における該インサート本体の上面に一対の切れ刃を備え、前記インサート本体の延在方向の中央及び該延在方向に直交する幅方向の中央を通りこれら延在方向及び幅方向に直交するインサート高さ軸線に関して回転対称、かつ、前記インサート高さ軸線を含み前記延在方向に垂直なインサート仮想平面に関して面対称に形成され、
前記切れ刃は、前記インサート本体の延在方向の端縁に形成されて前記幅方向に沿って延びる正面切れ刃と、この正面切れ刃の両端に配置されて前記幅方向にそれぞれ突出する一対のコーナー部と、前記コーナー部から前記延在方向に沿って該インサート本体の中央側に向かうに従い漸次互いの間隔を狭めるようにそれぞれ延びる一対の側面切れ刃とを有し、
前記切削インサートを、前記一対の切れ刃のうち一方の切れ刃を溝入れ方向へ向けて突出させて前記工具本体に装着するとともに、該一方の切れ刃を前記溝入れ方向に沿って移動させることにより前記周面に対して溝入れ加工するときに、
前記幅方向のうち、前記一対のコーナー部における一方のコーナー部から他方のコーナー部に向かう方向を他方の幅方向として、前記一対の切れ刃のうち他方の切れ刃における前記他方の幅方向とは反対側に位置する一方のコーナー部を、前記一方の切れ刃における前記一方のコーナー部よりも前記他方の幅方向側に配置し、
被削材の前記周面は、前記回転軸線に直交する径方向の内側を向く内周面であり、
この被削材のうち、前記内周面に隣接して前記径方向の内側へ向けて立ち上がるとともに前記回転軸線に垂直に形成された端面に対して、前記他方の切れ刃における前記一方のコーナー部を、前記一方の切れ刃における前記端面に沿って前記内周面に切り込む前記一方のコーナー部よりも離間して配置することを特徴とする周面溝入れ加工方法。
【請求項１０】
請求項８又は９に記載の周面溝入れ加工方法であって、
前記切削インサートを、前記一方の切れ刃における一対のコーナー部のうち少なくともいずれかのコーナー部及び前記回転軸線を含む工具仮想平面に直交する向きから見て、前記インサート本体の延在方向の中央を通り前記幅方向に沿うインサート幅軸線と前記回転軸線とのなす角度θ１を、０°＜θ１≦５°に設定することを特徴とする周面溝入れ加工方法。
【請求項１１】
請求項８〜１０のいずれか一項に記載の周面溝入れ加工方法であって、
前記コーナー部は、凸曲線状の第１コーナー刃と、前記第１コーナー刃における前記インサート本体の延在方向の中央側の端部と前記側面切れ刃とを繋ぐ直線状の第２コーナー刃とを有し、
前記切削インサートを、前記一方の切れ刃における一対のコーナー部のうち少なくともいずれかのコーナー部及び前記回転軸線を含む工具仮想平面に直交する向きから見て、前記第２コーナー刃を、被削材の前記回転軸線に対して直交するように延ばして配置することを特徴とする周面溝入れ加工方法。
【発明の詳細な説明】
【技術分野】
【０００１】
本発明は、刃先交換式溝入れ工具及びこれを用いた周面溝入れ加工方法に関するものである。
【背景技術】
【０００２】
従来、金属材料等からなる被削材を回転軸線回りに回転させて、この被削材の外周面や回転軸線を中心に形成された加工穴の内周面に、切削インサートの切れ刃で溝入れ加工を施す刃先交換式溝入れ工具が知られている。例えば、図１３に示す従来の刃先交換式溝入れ工具１００は、軸状をなす工具本体１の先端部に、断面矩形の棒状に形成された切削インサート３０が着脱自在に装着されている。切削インサート３０は、棒状をなすインサート本体３１の延在方向（図１３における上下方向）の両端部に、一対の切れ刃３２を有している。そして、これら切れ刃３２のうち工具本体１の先端面から突出された一方の切れ刃３２Ａが、多段円柱状に形成された被削材Ｗの段部Ｕに沿うようにして回転軸線ＷＯに直交するＹ方向に移動することにより、被削材Ｗの外周面Ｒに溝入れ加工（外径溝入れ）を施す。図１３の例では、被削材Ｗの段部Ｕには、該被削材Ｗの外周面Ｒの小径部分に隣接するとともに回転軸線ＷＯに直交する端面Ｅが形成されており、一方の切れ刃３２Ａは、この端面Ｅに沿うように移動することにより前記小径部分に対して溝入れ加工する。尚、切削インサート３０は、インサート本体３１の延在方向及び幅方向の中央を通るとともにこれら延在方向及び幅方向に垂直な高さ方向に延びるインサート高さ軸線Ｃ３に関して回転対称、かつ、このインサート高さ軸線Ｃ３を含み前記延在方向に直交するインサート仮想平面（不図示）に関して面対称に形成されており、工具本体１の仕様が左勝手か右勝手かに係わらず、両切れ刃３２Ａ、３２Ｂを使用できる。
【０００３】
また図１３において、一対の切れ刃３２のうち他方の切れ刃３２Ｂは切削には供されず、一方の切れ刃３２Ａが摩耗や欠損等により使用に適さなくなった際に、インサート本体３１の取り付け向きを延在方向に反転させることで、該切れ刃３２Ｂが工具本体１の先端面から突出されて溝入れ加工に用いられる。
【０００４】
また図１４の例では、前述の切削インサート３０が、軸状をなす刃先交換式溝入れ工具１０５の先端部に着脱自在に装着されている。この例では、切削インサート３０は、図１４の上下方向（Ｙ方向）に延在しているとともに、一方の切れ刃３２Ａが工具本体１の先端部の外周面から突出されている。そして、この一方の切れ刃３２Ａが、被削材Ｗの加工穴Ｈの内周面Ｓに溝入れ加工（内径溝入れ）を施す。被削材Ｗの加工穴Ｈには、内周面Ｓに隣接するとともに回転軸線ＷＯに直交する奥面（端面）Ｂが形成されており、一方の切れ刃３２Ａは、この端面Ｂに沿うように回転軸線ＷＯに直交するＹ方向に移動することにより内周面Ｓに対して溝入れ加工する。
【０００５】
このようにして、刃先交換式溝入れ工具１００、１０５を用いた外径溝入れや内径溝入れなどの周面溝入れ加工が行われている。
また、このような溝入れ加工に用いられる他の切削インサートとして、例えば、特許文献１に記載されたものが知られている。
【先行技術文献】
【特許文献】
【０００６】
【特許文献１】特公平７−１１５２５１号公報
【発明の概要】
【発明が解決しようとする課題】
【０００７】
しかしながら、前述の刃先交換式溝入れ工具１００、１０５においては、次のような課題を有していた。
切削インサート３０は、そのインサート本体３１の延在方向（図１３、図１４に示すインサート長手軸線Ｃ１）が被削材Ｗの端面Ｅ、Ｂに対して平行に延びて配置されており、一対の切れ刃３２は、端面Ｅ、Ｂからの距離が互いに同一とされている。このような切削インサート３０の配置状態で、一方の切れ刃３２Ａが被削材Ｗの端面Ｅ、Ｂから離間されて周面に溝入れ加工する際には特に問題はないが、切れ刃３２Ａが被削材Ｗの端面Ｅ、Ｂに沿って移動しつつ周面に対して溝入れ加工する場合には、他方の切れ刃３２Ｂが端面Ｅ、Ｂに接触して傷付けてしまう。尚、図１３の外径溝入れでは、被削材Ｗにおいて端面Ｅを形成した大径部分の直径φｄ１と、他方の切れ刃３２Ｂから回転軸線ＷＯまでの距離Ｌ３との関係が、ｄ１／２＜Ｌ３である場合には接触は無いが、ｄ１／２≧Ｌ３となると接触することから、被削材Ｗの形状が制限される上、加工中に前記距離Ｌ３が縮小されていき前述の接触が生じることが考えられる。このような接触が生じると、被削材Ｗの加工精度が確保できないばかりか、未使用の他方の切れ刃３２Ｂが傷んでしまうことになる。詳しくは、図１５に示すように、他方の切れ刃３２Ｂにおいて被削材Ｗの端面Ｅ、Ｂ側に位置するコーナー部４３Ｃが、端面Ｅ、Ｂに接触する。このため、図１３及び図１４のような被削材Ｗの端面Ｅ、Ｂに沿った周面溝入れはできなかった。
【０００８】
前述の接触を防止するため、特許文献１に記載された切削インサートにおいては、該切削インサートを前記インサート高さ軸線に関して回転対称に形成する一方で、前記インサート仮想平面に関して面対称には形成しておらず、インサート本体が全体に捩れたように形成されている。これにより、切削インサートを工具本体に装着した際に、他方の切れ刃における端面Ｅ（Ｂ）側のコーナー部が、一方の切れ刃における端面Ｅ（Ｂ）側のコーナー部よりも該端面Ｅ（Ｂ）から離間されるようにしている。しかしながら、この場合、工具本体の仕様に合わせて、左勝手用及び右勝手用の切削インサートをそれぞれ用意しなければならず、部品点数が増加して管理が煩雑となる。
【０００９】
本発明は、このような事情に鑑みてなされたものであって、切削インサートの部品点数を増加させることなく、被削材の端面に沿って周面溝入れ加工する場合であっても加工精度を十分に確保できる刃先交換式溝入れ工具及び周面溝入れ加工方法を提供することを目的としている。
【課題を解決するための手段】
【００１０】
前記目的を達成するために、本発明は以下の手段を提案している。
すなわち本発明は、回転軸線を中心に回転する被削材の周面に向けて切れ刃を突出させた切削インサートと、軸状をなし、先端部に前記切削インサートが着脱自在に装着される工具本体と、を有し、前記切れ刃で前記周面に溝入れ加工する刃先交換式溝入れ工具であって、前記切削インサートは、棒状をなすインサート本体の延在方向の両端部における該インサート本体の上面に一対の切れ刃を備え、前記インサート本体の延在方向の中央及び該延在方向に直交する幅方向の中央を通りこれら延在方向及び幅方向に直交するインサート高さ軸線に関して回転対称、かつ、前記インサート高さ軸線を含み前記延在方向に垂直なインサート仮想平面に関して面対称に形成され、前記切れ刃は、前記インサート本体の延在方向の端縁に形成されて前記幅方向に沿って延びる正面切れ刃と、この正面切れ刃の両端に配置されて前記幅方向にそれぞれ突出する一対のコーナー部と、前記コーナー部から前記延在方向に沿って該インサート本体の中央側に向かうに従い漸次互いの間隔を狭めるようにそれぞれ延びる一対の側面切れ刃とを有し、前記工具本体は、前記一対の切れ刃のうち一方の切れ刃を溝入れ方向へ向けて突出させて、前記切削インサートを装着しており、前記幅方向のうち、前記一対のコーナー部における一方のコーナー部から他方のコーナー部に向かう方向を他方の幅方向として、前記切削インサートは、前記一対の切れ刃のうち他方の切れ刃における前記他方の幅方向とは反対側に位置する一方のコーナー部が、前記一方の切れ刃における前記一方のコーナー部よりも前記他方の幅方向側に配置されており、前記切削インサートは、前記工具本体に、該工具本体の側方を向く一側面に沿うように配置されており、前記溝入れ方向は、前記工具本体の先端側へ向かう方向であり、前記他方の切れ刃における前記他方のコーナー部よりも前記工具本体の中心軸線から離間する方向に位置する前記一方のコーナー部が、前記一方の切れ刃における前記他方のコーナー部よりも前記中心軸線から離間する方向に位置する前記一方のコーナー部に対して、前記中心軸線に近づく方向に配置されていることを特徴とする。
また本発明は、回転軸線を中心に回転する被削材の周面に向けて切れ刃を突出させた切削インサートと、軸状をなし、先端部に前記切削インサートが着脱自在に装着される工具本体と、を有し、前記切れ刃で前記周面に溝入れ加工する刃先交換式溝入れ工具であって、前記切削インサートは、棒状をなすインサート本体の延在方向の両端部における該インサート本体の上面に一対の切れ刃を備え、前記インサート本体の延在方向の中央及び該延在方向に直交する幅方向の中央を通りこれら延在方向及び幅方向に直交するインサート高さ軸線に関して回転対称、かつ、前記インサート高さ軸線を含み前記延在方向に垂直なインサート仮想平面に関して面対称に形成され、前記切れ刃は、前記インサート本体の延在方向の端縁に形成されて前記幅方向に沿って延びる正面切れ刃と、この正面切れ刃の両端に配置されて前記幅方向にそれぞれ突出する一対のコーナー部と、前記コーナー部から前記延在方向に沿って該インサート本体の中央側に向かうに従い漸次互いの間隔を狭めるようにそれぞれ延びる一対の側面切れ刃とを有し、前記工具本体は、前記一対の切れ刃のうち一方の切れ刃を溝入れ方向へ向けて突出させて、前記切削インサートを装着しており、前記幅方向のうち、前記一対のコーナー部における一方のコーナー部から他方のコーナー部に向かう方向を他方の幅方向として、前記切削インサートは、前記一対の切れ刃のうち他方の切れ刃における前記他方の幅方向とは反対側に位置する一方のコーナー部が、前記一方の切れ刃における前記一方のコーナー部よりも前記他方の幅方向側に配置されており、前記切削インサートは、前記工具本体に、該工具本体の先端側を向く先側面に沿うように配置されており、前記溝入れ方向は、前記工具本体の中心軸線から離間する方向であり、前記他方の切れ刃における前記他方のコーナー部よりも前記工具本体の先端側に位置する前記一方のコーナー部が、前記一方の切れ刃における前記他方のコーナー部よりも前記工具本体の先端側に位置する前記一方のコーナー部に対して、前記工具本体の基端側に配置されていることを特徴とする。
また本発明は、回転軸線を中心に回転する被削材の周面に向けて切れ刃を突出させた切削インサートと、軸状をなし、先端部に前記切削インサートが着脱自在に装着される工具本体と、を有する刃先交換式溝入れ工具を用いて、前記切れ刃で前記被削材の周面に溝入れ加工する周面溝入れ加工方法であって、前記切削インサートは、棒状をなすインサート本体の延在方向の両端部における該インサート本体の上面に一対の切れ刃を備え、前記インサート本体の延在方向の中央及び該延在方向に直交する幅方向の中央を通りこれら延在方向及び幅方向に直交するインサート高さ軸線に関して回転対称、かつ、前記インサート高さ軸線を含み前記延在方向に垂直なインサート仮想平面に関して面対称に形成され、前記切れ刃は、前記インサート本体の延在方向の端縁に形成されて前記幅方向に沿って延びる正面切れ刃と、この正面切れ刃の両端に配置されて前記幅方向にそれぞれ突出する一対のコーナー部と、前記コーナー部から前記延在方向に沿って該インサート本体の中央側に向かうに従い漸次互いの間隔を狭めるようにそれぞれ延びる一対の側面切れ刃とを有し、前記切削インサートを、前記一対の切れ刃のうち一方の切れ刃を溝入れ方向へ向けて突出させて前記工具本体に装着するとともに、該一方の切れ刃を前記溝入れ方向に沿って移動させることにより前記周面に対して溝入れ加工するときに、前記幅方向のうち、前記一対のコーナー部における一方のコーナー部から他方のコーナー部に向かう方向を他方の幅方向として、前記一対の切れ刃のうち他方の切れ刃における前記他方の幅方向とは反対側に位置する一方のコーナー部を、前記一方の切れ刃における前記一方のコーナー部よりも前記他方の幅方向側に配置し、被削材の前記周面は、前記回転軸線に直交する径方向の外側を向く外周面であり、この被削材のうち、前記外周面に隣接して前記径方向の外側へ向けて立ち上がるとともに前記回転軸線に垂直に形成された端面に対して、前記他方の切れ刃における前記一方のコーナー部を、前記一方の切れ刃における前記端面に沿って前記外周面に切り込む前記一方のコーナー部よりも離間して配置することを特徴とする。
また本発明は、回転軸線を中心に回転する被削材の周面に向けて切れ刃を突出させた切削インサートと、軸状をなし、先端部に前記切削インサートが着脱自在に装着される工具本体と、を有する刃先交換式溝入れ工具を用いて、前記切れ刃で前記被削材の周面に溝入れ加工する周面溝入れ加工方法であって、前記切削インサートは、棒状をなすインサート本体の延在方向の両端部における該インサート本体の上面に一対の切れ刃を備え、前記インサート本体の延在方向の中央及び該延在方向に直交する幅方向の中央を通りこれら延在方向及び幅方向に直交するインサート高さ軸線に関して回転対称、かつ、前記インサート高さ軸線を含み前記延在方向に垂直なインサート仮想平面に関して面対称に形成され、前記切れ刃は、前記インサート本体の延在方向の端縁に形成されて前記幅方向に沿って延びる正面切れ刃と、この正面切れ刃の両端に配置されて前記幅方向にそれぞれ突出する一対のコーナー部と、前記コーナー部から前記延在方向に沿って該インサート本体の中央側に向かうに従い漸次互いの間隔を狭めるようにそれぞれ延びる一対の側面切れ刃とを有し、前記切削インサートを、前記一対の切れ刃のうち一方の切れ刃を溝入れ方向へ向けて突出させて前記工具本体に装着するとともに、該一方の切れ刃を前記溝入れ方向に沿って移動させることにより前記周面に対して溝入れ加工するときに、前記幅方向のうち、前記一対のコーナー部における一方のコーナー部から他方のコーナー部に向かう方向を他方の幅方向として、前記一対の切れ刃のうち他方の切れ刃における前記他方の幅方向とは反対側に位置する一方のコーナー部を、前記一方の切れ刃における前記一方のコーナー部よりも前記他方の幅方向側に配置し、被削材の前記周面は、前記回転軸線に直交する径方向の内側を向く内周面であり、この被削材のうち、前記内周面に隣接して前記径方向の内側へ向けて立ち上がるとともに前記回転軸線に垂直に形成された端面に対して、前記他方の切れ刃における前記一方のコーナー部を、前記一方の切れ刃における前記端面に沿って前記内周面に切り込む前記一方のコーナー部よりも離間して配置することを特徴とする。
【００１１】
本発明に係る刃先交換式溝入れ工具及び周面溝入れ加工方法によれば、切削インサートは、他方の切れ刃において前記他方の幅方向とは反対側に位置する一方のコーナー部が、一方の切れ刃において前記反対側に位置する一方のコーナー部に対して、前記他方の幅方向側に配置されている。これにより、例えば、多段円柱状をなす被削材の段部において、回転軸線に直交する端面に沿って該被削材の外周面に溝入れ加工（外径溝入れ）を行う場合に、下記のような作用効果を奏する。すなわち、例えば、切削インサートの一方の切れ刃における一方のコーナー部を被削材の端面に当接させるように近接配置し、この切削インサートを該端面に沿って溝入れ方向に移動させ溝入れ加工するときに、他方の切れ刃における一方のコーナー部がこの端面から離間されて、このコーナー部が該端面に接触して傷付けてしまうようなことが確実に防止される。また、この接触によって、未使用の他方の切れ刃が傷んでしまうようなことが防止される。尚、この場合、図１３で説明した被削材Ｗの大径部分の直径ｄ１に係わらず他方の切れ刃の一方のコーナー部がこの端面から離間されて、このコーナー部が該端面に接触して傷付けてしまうようなことが確実に防止される。また、被削材の回転軸線を中心に形成された円柱穴状の加工穴の奥面（端面）に沿って該加工穴の内周面に溝入れ加工（内径溝入れ）する場合にも、前述と同様の作用効果を奏する。
【００１２】
また、各切れ刃がそれぞれ備える一対の側面切れ刃は、インサート本体の延在方向の外側から中央側へ向かうに従い漸次互いの間隔を狭めるように傾斜して形成されているので、溝壁の加工精度が確保される。すなわち、切削インサートの工具本体に対する装着姿勢が前述のように設定されても、一方の切れ刃において被削材の端面側とは反対側（つまり前記他方の幅方向側）に配置された側面切れ刃が、被削材に形成された溝の前記反対側における溝壁の開口端縁に接触するようなことがない。
【００１３】
また、本発明に係る刃先交換式溝入れ工具において、前記切削インサートを、前記一方の切れ刃における一対のコーナー部のうち少なくともいずれかのコーナー部及び前記回転軸線を含む工具仮想平面に直交する向きから見て、前記インサート本体の延在方向の中央を通り前記幅方向に沿うインサート幅軸線と前記回転軸線とのなす角度θ１が、０°＜θ１≦５°に設定されることとしてもよい。
また、本発明に係る周面溝入れ加工方法において、前記切削インサートを、前記一方の切れ刃における一対のコーナー部のうち少なくともいずれかのコーナー部及び前記回転軸線を含む工具仮想平面に直交する向きから見て、前記インサート本体の延在方向の中央を通り前記幅方向に沿うインサート幅軸線と前記回転軸線とのなす角度θ１を、０°＜θ１≦５°に設定することとしてもよい。
【００１４】
本発明に係る刃先交換式溝入れ工具及び周面溝入れ加工方法によれば、例えば、被削材の前記端面が回転軸線に直交して形成される場合に、インサート本体の延在方向が被削材の端面に対して傾斜する角度は、インサート幅軸線と回転軸線とのなす角度θ１に近似した値となる。すなわち、切削インサートは、インサート本体の延在方向を被削材の前記端面に対して僅かに傾斜させつつも略平行として工具本体に装着される。従って、前述のように他方の切れ刃の一方のコーナー部を該端面から確実に離間してこの端面の加工精度を確保しつつも、被削材に形成する溝の溝底の加工精度を確保できる。詳しくは、角度θ１が前述の範囲内に設定されることによって、溝入れされた被削材の溝底が回転軸線に略平行に形成されることから、該溝底の加工精度が高められている。
【００１５】
また、本発明に係る刃先交換式溝入れ工具において、前記周面は、被削材の前記回転軸線とは反対側を向く外周面であり、前記一方の切れ刃は、前記外周面に対して外径溝入れ加工することとしてもよい。
【００１６】
本発明に係る刃先交換式溝入れ工具によれば、例えば、多段円柱状をなす被削材の段部において、外周面の小径部分に隣接する円環面からなり回転軸線に直交する端面が形成されている場合であっても、溝入れする外周面の位置に係わらず、精度の高い外径溝入れが行える。
【００１７】
また、本発明に係る刃先交換式溝入れ工具において、前記周面は、被削材の前記回転軸線側を向く内周面であり、前記一方の切れ刃は、前記内周面に対して内径溝入れ加工することとしてもよい。
【００１８】
本発明に係る刃先交換式溝入れ工具によれば、例えば、被削材に形成された円柱穴状の加工穴の内周面に隣接して、回転軸線に直交する奥面（端面）が形成されている場合であっても、溝入れする内周面の位置に係わらず、精度の高い内径溝入れが行える。
【００１９】
また、本発明に係る刃先交換式溝入れ工具において、前記コーナー部は、凸曲線状の第１コーナー刃を有していることとしてもよい。
【００２０】
本発明に係る刃先交換式溝入れ工具によれば、切れ刃のコーナー部は、凸曲線状の第１コーナー刃を有しているので、該コーナー部における刃先欠損等が防止される。
【００２１】
また、本発明に係る刃先交換式溝入れ工具において、前記コーナー部は、前記第１コーナー刃における前記インサート本体の延在方向の中央側の端部と前記側面切れ刃とを繋ぐ直線状の第２コーナー刃を有し、前記切削インサートを、前記一方の切れ刃における一対のコーナー部のうち少なくともいずれかのコーナー部及び前記回転軸線を含む工具仮想平面に直交する向きから見て、前記第２コーナー刃は、被削材の前記回転軸線に対して直交するように延びていることとしてもよい。
また、本発明に係る周面溝入れ加工方法において、前記コーナー部は、凸曲線状の第１コーナー刃と、前記第１コーナー刃における前記インサート本体の延在方向の中央側の端部と前記側面切れ刃とを繋ぐ直線状の第２コーナー刃とを有し、前記切削インサートを、前記一方の切れ刃における一対のコーナー部のうち少なくともいずれかのコーナー部及び前記回転軸線を含む工具仮想平面に直交する向きから見て、前記第２コーナー刃を、被削材の前記回転軸線に対して直交するように延ばして配置することとしてもよい。
【００２２】
本発明に係る刃先交換式溝入れ工具及び周面溝入れ加工方法によれば、切れ刃のコーナー部には、第１コーナー刃におけるインサート本体の延在方向に沿う中央側の端部と側面切れ刃とを繋ぐ第２コーナー刃が、被削材の回転軸線に対して直交するように延びているので、一方の切れ刃の正面切れ刃及び第１コーナー刃が切削した被削材の溝壁をこの第２コーナー刃がさらうことになり、該溝壁の仕上げ精度が高められる。
【発明の効果】
【００２３】
本発明に係る刃先交換式溝入れ工具及び周面溝入れ加工方法によれば、切削インサートの部品点数を増加させることなく、被削材の端面に沿って周面溝入れ加工する場合であっても加工精度を十分に確保できる。
【図面の簡単な説明】
【００２４】
【図１】本発明の第１の実施形態に係る刃先交換式溝入れ工具と、この刃先交換式溝入れ工具を用いて溝入れ加工を施す被削材とを示す概略斜視図である。
【図２】本発明の第１の実施形態に係る刃先交換式溝入れ工具と被削材とを、切削インサートのすくい面に対向する向きから見た平面図であるとともに、切削インサートを上面から見た図である。
【図３】本発明の第１の実施形態に係る刃先交換式溝入れ工具と被削材とを示す概略側面図である。
【図４】本発明の第１の実施形態に係る刃先交換式溝入れ工具と被削材とを、工具本体の先端側から見た正面図である。
【図５】切削インサートを示す斜視図である。
【図６】図２における切削インサート３０近傍を拡大して示す図である。
【図７】本発明の第２の実施形態に係る刃先交換式溝入れ工具と、この刃先交換式溝入れ工具を用いて溝入れ加工を施す被削材とを示す概略斜視図である。
【図８】本発明の第２の実施形態に係る刃先交換式溝入れ工具と被削材とを、切削インサートのすくい面に対向する向きから見た平面図であるとともに、切削インサートを上面から見た図である。
【図９】本発明の第２の実施形態に係る刃先交換式溝入れ工具と被削材とを、工具本体の先端側から見た正面図であるとともに、切削インサートを側面から見た図である。
【図１０】図８における切削インサート３０近傍を拡大して示す図である。
【図１１】切削インサートの切れ刃におけるコーナー部の変形例を示す図である。
【図１２】切削インサートの切れ刃におけるコーナー部の変形例を示す図である。
【図１３】従来の刃先交換式溝入れ工具（外径溝入れ）と被削材とを、切削インサートのすくい面に対向する向きから見た平面図であるとともに、切削インサートを上面から見た図である。
【図１４】従来の刃先交換式溝入れ工具（内径溝入れ）と被削材とを、切削インサートのすくい面に対向する向きから見た平面図であるとともに、切削インサートを上面から見た図である。
【図１５】図１３、図１４におけるＡ部を拡大して示す図である。
【発明を実施するための形態】
【００２５】
（第１の実施形態）
図１〜図６は、本発明の第１の実施形態に係る刃先交換式溝入れ工具１０、及び、この刃先交換式溝入れ工具１０に用いられる切削インサート３０を示している。本実施形態に係る刃先交換式溝入れ工具１０は、軸状に形成され、断面が略矩形をなす工具本体１と、この工具本体１の先端側の端部（先端部）３に着脱自在に装着されて、該工具本体１の先端面１Ａから先端側へ向けて切れ刃３２を突出させる切削インサート３０とを有している。
【００２６】
本実施形態の刃先交換式溝入れ工具１０は、略円柱状の被削材Ｗに外径溝入れ加工を行うものである。詳しくは、本実施形態の被削材Ｗは多段円柱状をなしており、その大径部分と小径部分との間に段部Ｕを有している。被削材Ｗの段部Ｕには、前記小径部分の外周面Ｒに隣接するとともに回転軸線ＷＯに直交する円環面からなる端面Ｅが形成されている。刃先交換式溝入れ工具１０は、工具本体１の延在する方向（図示するＹ方向）を被削材Ｗの回転軸線ＷＯに対して略垂直に配置した状態で、回転軸線ＷＯを中心に回転方向ＷＴに回転する被削材Ｗの外周面Ｒにおける段部Ｕに工具本体１の先端部３を向け、該段部Ｕの端面Ｅに沿うように切れ刃３２を移動させ、前記小径部分の外周面Ｒを切削する。尚、本実施形態では、方向を示す符号Ｘ、Ｙ、Ｚを一部の図中に用いる。ここで、符号Ｘ、Ｙは水平方向をそれぞれ示しており、詳しくは、Ｘ方向が被削材Ｗの回転軸線ＷＯに平行な水平方向を示し、Ｙ方向が回転軸線ＷＯに垂直な水平方向を示している。また、符号Ｚは鉛直方向を示している。
【００２７】
工具本体１は、鋼材等から形成されており、その先端部３以外の中央部及び基端部が略直方体状をなしてシャンク部２とされている。この刃先交換式溝入れ工具１０は、シャンク部２が回り止めされた状態で保持されることにより、不図示の工作機械に固定支持される。以下の説明においては、Ｙ方向のうち、工具本体１の先端側（図２における下側）を一方側、基端側（図２における上側）を他方側と呼ぶことがある。
【００２８】
工具本体１の先端部３は、図２の平面視において概略五角形状をなしており、その先端面１Ａから先端側へ突出して上顎部６及び下顎部７が形成されている。先端部３の上顎部６と下顎部７とは、互いに上下方向（Ｚ方向）に対向配置されているとともに、先端面１Ａにおいて、回転軸線ＷＯに沿う方向（図２におけるＸ方向）のうち一側（図２における左側）の端部に形成されている。また、図３に示すように、先端部３の上面３Ａはシャンク部２の上面よりも上方に突出して形成されている。また、工具本体１の先端部３における下面３Ｂは、シャンク部２における下面に面一とされている。
【００２９】
また工具本体１は、その先端部３において側方（図２におけるＸ方向）を向く両側面のうち、前記一側を向く一側面３Ｃが、シャンク部２において前記一側を向く側面に面一に連なっているとともに、上顎部６及び下顎部７の前記一側を向く側面を形成している。また、先端部３には、前記両側面のうち他側（図２における右側）を向くとともに、一側面３Ｃに背向するように配置された他側面３Ｄが形成されている。先端部３の他側面３Ｄは、その基端部がシャンク部２において前記他側を向く側面に面一とされており、中央部から先端部にかけては、先端側へ向かうに従い漸次前記一側へ向かうように傾斜してテーパ状に形成されている。尚、前述した工具本体１の先端部３の形状は一例であり、本実施形態に限定されるものではない。
【００３０】
図３の側面視において、上顎部６は略三角形状をなし、上顎部６の上面は基端側から先端側へ向かうに従い漸次下面３Ｂ側へ向けて傾斜して形成されている。また、この側面視において、下顎部７は略矩形状に形成されている。下顎部７は、上顎部６よりも工具本体１の先端側へ向けて突出されている。これら上顎部６と下顎部７との間には隙間が設けられており、切削インサート３０が着脱自在に装着されるインサート取付座４とされている。工具本体１は、このインサート取付座４に切削インサート３０を装着して、該切削インサート３０を該工具本体１の側方を向く一側面３Ｃに沿うように配置している。
【００３１】
インサート取付座４は、略直方体穴状をなしており、先端部３の一側面３Ｃ側に位置しているとともにＹ方向に沿って延びている。インサート取付座４は、その先端部及び中央部が、上顎部６と下顎部７との間に位置しているとともにＸ方向の両側に開口されている。また、インサート取付座４の先端部は、Ｙ方向のうち先端側を向く方向（後述する溝入れ方向ＹＡ）にも開口されている。また、インサート取付座４の基端部は、上面３Ａと下面３Ｂとの間に位置しているとともに一側面３Ｃに開口されている。インサート取付座４は、工具本体１の基端側から先端側へ向かうに従い漸次下面３Ｂから上面３Ａへ向けて傾斜するように形成されている。また、インサート取付座４の基端部には、工具本体１の先端側を向く段部４Ａが形成されている。
【００３２】
また、インサート取付座４の基端側には、該インサート取付座４よりも幅狭のスリット状をなし、先端面１Ａ、一側面３Ｃ及び他側面３Ｄに開口する締め付け部８が形成されている。締め付け部８は、工具本体１の基端側から先端側へ向かうに従い漸次下面３Ｂから上面３Ａへ向けて傾斜するように形成されている。
【００３３】
また、インサート取付座４において上下に向かい合う天壁面４Ｂ及び底壁面４Ｃは、図４に示すように、先端面１Ａ側から見てそれぞれ凸Ｖ字状に形成されている。また、図３に示すように、締め付け部８は、インサート取付座４に対して天壁面４Ｄと底壁面４Ｅとの間隔が狭く形成されている。締め付け部８の天壁面４Ｄには、先端部３の上面３Ａに開口するとともにクランプネジ５が挿通される貫通孔５Ａが形成されている。また、締め付け部８の底壁面４Ｅには、貫通孔５Ａに同軸とされて内周面に雌ねじ加工が施されたねじ穴（不図示）が形成されている。
【００３４】
また、この刃先交換式溝入れ工具１０に装着される切削インサート３０は、超硬合金等の硬質材料からなり、図３に示すように、棒状をなすインサート本体３１の延在方向（図３の上下方向）の両端部における該インサート本体３１の上面（図３において右側を向く面）に一対の切れ刃３２を備える、所謂ドッグボーン型の切削インサートである。
【００３５】
ここで、図５、図６等に示す符号Ｃ１は、インサート本体３１の延在方向に沿うインサート長手軸線を示しており、このインサート長手軸線Ｃ１は、インサート本体３１において前記延在方向に直交する幅方向の中央を通るとともに、一対の切れ刃３２における後述する正面切れ刃４１、４１の中央をそれぞれ通って延びている。また、符号Ｃ２は、インサート本体３１の幅方向に沿うインサート幅軸線を示しており、該インサート幅軸線Ｃ２は、インサート長手軸線Ｃ１に沿うインサート本体３１の中央（図中に二重丸で示す部位）を通り、該インサート長手軸線Ｃ１に直交するとともに正面切れ刃４１に平行に延びている。また、符号Ｃ３は、インサート本体３１の高さ方向に沿うインサート高さ軸線を示しており、該インサート高さ軸線Ｃ３は、インサート本体３１の前記中央を通り、インサート長手軸線Ｃ１及びインサート幅軸線Ｃ２にそれぞれ直交する向きに延びている。
【００３６】
また、切削インサート３０は、インサート長手軸線Ｃ１に沿うインサート本体３１の中央を通るとともに該インサート長手軸線Ｃ１に垂直なインサート仮想平面ＶＳ１に関して対称（すなわち面対称）に形成されている。また、この切削インサート３０は、インサート長手軸線Ｃ１及びインサート高さ軸線Ｃ３を含み、インサート本体３１の上面（図４において上方を向く面）及び下面（図４において下方を向く面）の各中央を通るインサート仮想平面ＶＳ２に関しても対称（面対称）に形成されている。すなわち、この切削インサート３０は、インサート高さ軸線Ｃ３に関して回転対称に形成されている。尚、切削インサート３０は、インサート仮想平面ＶＳ２に関して面対称に形成されていなくても構わない。
【００３７】
また、図４、図５に示すように、切削インサート３０は、インサート本体３１の上面における前記延在方向の中央部、及び、下面が、インサート長手軸線Ｃ１に直交する断面でそれぞれ凹Ｖ字状に形成されている。このようなインサート本体３１の形状により、切削インサート３０がインサート取付座４の先端側に開口する部位において天壁面４Ｂ及び底壁面４Ｃに摺接するように案内され、前記一方側から前記他方側へと挿入される。
【００３８】
図３に示すように、インサート取付座４に挿入された切削インサート３０は、インサート本体３１の前記他方側の端面が段部４Ａに突き当てられて位置決めされる。この状態で、クランプネジ５を締め付けることにより、締め付け部８の天壁面４Ｄが底壁面４Ｅへ向けて弾性変形しつつ近づくとともに、インサート取付座４の天壁面４Ｂが底壁面４Ｃへ向けて弾性変形しつつ近づいていく。このように、天壁面４Ｄ、４Ｂと底壁面４Ｅ、４Ｃとの間隔が狭められて、切削インサート３０が工具本体１の先端部３に固定支持される。
【００３９】
また、インサート本体３１の上面においてインサート長手軸線Ｃ１方向に沿う両端部には、一対の切れ刃３２が配置されている。図６に示すように、切れ刃３２は、インサート本体３１の延在方向の端縁に形成されて該延在方向に直交する幅方向（図６における左右方向）に延びる直線状の正面切れ刃４１と、この正面切れ刃４１の両端に配置されて前記幅方向にそれぞれ突出する一対のコーナー部４３と、これらコーナー部４３から前記延在方向に沿って該インサート本体３１の中央側（内側）に向かうに従い漸次互いの間隔を狭めるようにそれぞれ直線状に延びる一対の側面切れ刃４２とを有している。
【００４０】
詳しくは、一対の側面切れ刃４２は、インサート本体３１の延在方向の外側から中央側へ向かうに従い漸次幅方向の外側から中央側（内側）へ向かうように傾斜して形成されており、所謂バックテーパが与えられている。
【００４１】
また、インサート本体３１の上面における前記両端部は、前記中央部よりも一段後退させられてそれぞれ略四角形状をなしており、一対のすくい面３３とされている。すくい面３３は、その外周縁のうち前記延在方向の中央側以外の三方が正面切れ刃４１及び一対の側面切れ刃４２とされている。
【００４２】
また、図５において、インサート本体３１の外面のうち上面と下面とを繋ぐ周面には、正面切れ刃４１に連なる正面逃げ面５１と、一対の側面切れ刃４２にそれぞれ連なる一対の側面逃げ面５２とが形成されている。正面逃げ面５１は、正面切れ刃４１から下面側へ向かうに従い漸次インサート本体３１の外面から後退するように傾斜して形成されている。また、側面逃げ面５２は、側面切れ刃４２から下面側へ向かうに従い漸次インサート本体３１の外面から後退するように傾斜して形成されている。尚、以下の説明では、インサート本体３１において正面逃げ面５１が形成された面を切削インサート３０の正面、インサート本体３１において側面逃げ面５２が形成された面を切削インサート３０の側面と呼ぶ。
【００４３】
切削インサート３０が工具本体１のインサート取付座４に装着されると、図２に示すように、一対の切れ刃３２のうち前記一方側（図２における下側）に切れ刃３２Ａが配置され、前記他方側（図２における上側）に切れ刃３２Ｂが配置される。そして、一方の切れ刃３２Ａが、工具本体１の先端部３における先端面１Ａから先端側へ向けて突出されるとともに被削材Ｗの外周面Ｒに対向配置され、該外周面Ｒに溝入れ加工を施すようになっている。詳しくは、工具本体１は、一対の切れ刃３２のうち一方の切れ刃３２Ａを、先端部３の先端面１Ａから前記Ｙ方向のうち符号ＹＡで示される溝入れ方向へ向けて突出させて、切削インサート３０を装着している。
【００４４】
また、図２、図４〜図６に符号Ｃ２Ａで示す向きは、インサート本体３１の幅方向（インサート幅軸線Ｃ２方向）のうち、一対のコーナー部４３Ａ、４３Ｂ（４３Ｃ、４３Ｄ）において被削材Ｗの端面Ｅ側に位置する一方のコーナー部４３Ａ（４３Ｃ）から端面Ｅ側とは反対側に位置する他方のコーナー部４３Ｂ（４３Ｄ）に向かう方向である他方の幅方向を示している。図４の正面視に示すように、切削インサート３０のインサート幅軸線Ｃ２は、被削材Ｗの回転軸線ＷＯに平行とされている。また、一方の切れ刃３２Ａの正面切れ刃４１はインサート幅軸線Ｃ２に平行であるとともに、この正面視において回転軸線ＷＯ上に位置している。またこれにより、一方の切れ刃３２Ａにおいて正面切れ刃４１の両端に位置するコーナー部４３Ａとコーナー部４３Ｂとが、互いに回転方向ＷＴに沿う同一位置に配置されている。
【００４５】
ここで、図３、図４に符号ＶＳ３で示すものは、切れ刃３２Ａのコーナー部４３Ａ、４３Ｂ及び回転軸線ＷＯを含む工具仮想平面を表している。尚、この工具仮想平面ＶＳ３は、切れ刃３２Ａにおける一対のコーナー部４３Ａ、４３Ｂのうち少なくともいずれかのコーナー部４３及び回転軸線ＷＯを含み形成されていればよく、本実施形態のように両コーナー部４３Ａ、４３Ｂを含むものに限定されない。すなわち、図４の正面視において、切削インサート３０のインサート幅軸線Ｃ２及び切れ刃３２Ａの正面切れ刃４１が、前記他方の幅方向Ｃ２Ａに向かって端面Ｅから離間するに従い漸次回転方向ＷＴの前方側又は後方側へ向けて傾斜しているとともに、回転軸線ＷＯに対して傾斜して形成されていても構わない。本実施形態においては、工具仮想平面ＶＳ３がＸ−Ｙ水平面内に配置されている。
【００４６】
また、図２及び図３に符号Ｃ１Ａで示す向きは、インサート本体３１の延在方向（インサート長手軸線Ｃ１方向）のうち、一対の切れ刃３２Ａ、３２Ｂにおける他方の切れ刃３２Ｂから一方の切れ刃３２Ａに向かう方向である一方の延在方向を示している。図３の側面視に示すように、切削インサート３０のインサート長手軸線Ｃ１は、前記一方の延在方向Ｃ１Ａへ向かうに従い漸次工具仮想平面ＶＳ３に接近するように傾斜されている。
【００４７】
詳しくは、図３に示すように、工具本体１の一側面３Ｃ側から見て、インサート長手軸線Ｃ１は、前記一方の延在方向Ｃ１Ａへ向かうに従い漸次インサート本体３１の下面側（図３における左右方向（Ｚ方向）の左側）から上面側（図３における右側）へ向けて工具仮想平面ＶＳ３に接近するように延びている。またこれにより、切れ刃３２Ｂの正面切れ刃４１が、工具仮想平面ＶＳ３に対してインサート本体３１の下面側（図３における左側）へ向けて離間されている。そして、切れ刃３２Ａ、３２Ｂの各正面切れ刃４１、４１を通るインサート長手軸線Ｃ１と工具仮想平面ＶＳ３とのなす角度θ３が、０°＜θ３≦１０°の範囲内に設定されている。本実施形態では、このθ３が例えば３°程度に設定されている。
【００４８】
工具本体１に装着された切削インサート３０は、切れ刃３２Ｂが配置される前記他方側から切れ刃３２Ａが配置される前記一方側へと前記一方の延在方向Ｃ１Ａに向かうに従い漸次工具本体１の上面３Ａへ向かうように傾斜して配置されている。尚、切削インサート３０のインサート長手軸線Ｃ１は、前記一方の延在方向Ｃ１Ａに向かうに従い漸次インサート本体３１の上面側から下面側へ向けて工具仮想平面ＶＳ３に接近するように延びていても構わない。すなわち、インサート長手軸線Ｃ１が、前記一方の延在方向Ｃ１Ａに向かうに従い漸次工具本体１の下面３Ｂへ向かうように傾斜しているとともに、切れ刃３２Ｂが工具仮想平面ＶＳ３に対してインサート本体３１の上面側へ向けて離間されていてもよい。また、切れ刃３２Ｂが工具仮想平面ＶＳ３内に配置されているとともに、インサート長手軸線Ｃ１が工具仮想平面ＶＳ３内に含まれていてもよい。
【００４９】
また、図２は、切削インサート３０を工具仮想平面ＶＳ３に直交する向きから見た上面図であり、この切削インサート３０は、インサート幅軸線Ｃ２と回転軸線ＷＯとのなす角度θ１が、０°＜θ１≦５°の範囲内に設定されて、インサート取付座４に装着されている。尚、前記角度θ１は、０．５°≦θ１≦３°の範囲内に設定されることがより望ましい。本実施形態においては、前記θ１が１°程度に設定されている。
【００５０】
そして、図２、図６に示すように、工具仮想平面ＶＳ３に直交するとともにすくい面３３に対向する向きから見て、この切削インサート３０は、他方の切れ刃３２Ｂにおける前記他方の幅方向Ｃ２Ａとは反対側に位置するコーナー部４３Ｃが、一方の切れ刃３２Ａにおける前記反対側に位置するコーナー部４３Ａよりも前記他方の幅方向Ｃ２Ａ側に配置されている。すなわち、一方の切れ刃３２Ａにおける工具本体１の一側面３Ｃ側（図２及び図６における左側）に位置するコーナー部４３Ａは、他方の切れ刃３２Ｂにおける一側面３Ｃ側に位置するコーナー部４３Ｃよりも一側面３Ｃ側に配置されている。本実施形態では、切れ刃３２Ｂにおいて端面Ｅ側に位置するコーナー部４３Ｃが、切れ刃３２Ａにおいて端面Ｅ側に位置するコーナー部４３Ａに対して、端面Ｅから離間されている。
【００５１】
本実施形態においては、前述の構成を有する工具本体１の切削インサート３０が、一方の切れ刃３２Ａのコーナー部４３Ａを被削材Ｗの端面Ｅに当接させるように近接配置した状態で、該端面Ｅに沿って被削材Ｗの径方向内側へ向け溝入れ方向ＹＡに移動して、切れ刃３２Ａが外周面Ｒに対して溝入れ加工する。
【００５２】
以上説明したように、本実施形態に係る刃先交換式溝入れ工具１０及びこれを用いた周面溝入れ加工方法によれば、切削インサート３０は、他方の切れ刃３２Ｂにおいて前記他方の幅方向Ｃ２Ａとは反対側に位置する一方のコーナー部４３Ｃが、一方の切れ刃３２Ａにおいて前記反対側に位置する一方のコーナー部４３Ａに対して、前記他方の幅方向Ｃ２Ａ側に配置されている。これにより、本実施形態のように、多段円柱状をなす被削材Ｗの段部Ｕにおいて、回転軸線ＷＯに直交する端面Ｅに沿って該被削材Ｗの外周面Ｒに溝入れ加工（外径溝入れ）を行う場合に、下記のような作用効果を奏する。
【００５３】
すなわち、切削インサート３０の一方の切れ刃３２Ａにおける一方のコーナー部４３Ａを被削材Ｗの端面Ｅに当接させるように近接配置し、この切削インサート３０を該端面Ｅに沿って溝入れ方向ＹＡに移動させ溝入れ加工するときに、他方の切れ刃３２Ｂにおける一方のコーナー部４３Ｃがこの端面Ｅから離間されて、このコーナー部４３Ｃが該端面Ｅに接触して傷付けてしまうようなことが確実に防止される。また、この接触によって、未使用の他方の切れ刃３２Ｂが傷んでしまうようなことが防止される。尚、この場合、図２に示す被削材Ｗの大径部分の直径ｄ１に係わらず他方の切れ刃３２Ｂの一方のコーナー部４３Ｃがこの端面Ｅから離間されて、このコーナー部４３Ｃが該端面Ｅに接触して傷付けてしまうようなことが確実に防止される。
【００５４】
また、各切れ刃３２Ａ、３２Ｂがそれぞれ備える一対の側面切れ刃４２、４２は、インサート本体３１の延在方向の外側から中央側へ向かうに従い漸次互いの間隔を狭めるように傾斜して形成されているので、加工された溝における溝壁の加工精度が確保される。すなわち、切削インサート３０の工具本体１に対する装着姿勢が前述のように設定されても、一方の切れ刃３２Ａにおいて被削材Ｗの端面Ｅ側とは反対側（すなわち前記他方の幅方向Ｃ２Ａ側）に配置された側面切れ刃４２が、被削材Ｗに形成された溝の前記反対側の溝壁の開口端縁に接触するようなことがない。
【００５５】
また、切削インサート３０を工具仮想平面ＶＳ３に直交する向きから見て、インサート本体３１の幅方向に沿うインサート幅軸線Ｃ２と被削材Ｗの回転軸線ＷＯとのなす角度θ１が、０°＜θ１≦５°の範囲内に設定されている。これに伴って、インサート本体３１の延在方向に沿うインサート長手軸線Ｃ１が被削材Ｗの端面Ｅに対して傾斜する角度は、前記θ１に近似した値となる。すなわち、切削インサート３０は、インサート本体３１の延在方向（インサート長手軸線Ｃ１）を被削材Ｗの端面Ｅに対して僅かに傾斜させつつも略平行として工具本体１に装着される。従って、前述のように他方の切れ刃３２Ｂのコーナー部４３Ｃを該端面Ｅから確実に離間してこの端面Ｅの加工精度を確保しつつも、被削材Ｗに形成する溝の溝底Ｄの加工精度を確保できる。詳しくは、角度θ１が前述の範囲内に設定されることによって、溝入れされた被削材Ｗの溝底Ｄが回転軸線ＷＯに略平行に形成されることから、該溝底Ｄの加工精度が高められている。
【００５６】
尚、角度θ１が０．５°≦θ１≦３°に設定された場合には、前述の作用効果がより確実に得られる。すなわち、角度θ１が０．５°以上に設定されることにより、切れ刃３２Ｂのコーナー部４３Ｃが端面Ｅからより確実に離間される。また、角度θ１が３°以下に設定されることにより、回転軸線ＷＯに対して溝底Ｄがより平行に形成されて、加工精度が向上する。
【００５７】
詳しくは、角度θ１が０．５°以上に設定された場合、工具仮想平面ＶＳ３に対する切れ刃３２Ｂの位置（下側、上側又は工具仮想平面ＶＳ３内）や、図４の切削インサート３０の正面視において、切れ刃３２Ａの正面切れ刃４１が回転軸線ＷＯに対して傾斜する角度に係わらず、切れ刃３２Ｂのコーナー部４３Ｃが切れ刃３２Ａのコーナー部４３Ａに対して前記他方の幅方向Ｃ２Ａ側に位置することになるとともに、端面Ｅから確実に離間される。
【００５８】
また、本実施形態の切削インサート３０は、インサート長手軸線Ｃ１が前記一方の延在方向Ｃ１Ａに向かうに従い漸次工具仮想平面ＶＳ３に接近するように傾斜しているとともに、インサート本体３１の上面側へ向かい延びている。すなわち、工具仮想平面ＶＳ３に対して切れ刃３２Ｂがインサート本体３１の下面側へ向けて離間されている。これにより、一方の切れ刃３２Ａが被削材Ｗの外周面Ｒに対して鋭く切り込むことになり、切れ味を十分に高めることができる。
【００５９】
このように、前述した刃先交換式溝入れ工具１０を用いた外径溝入れ加工においては、多段円柱状をなす被削材Ｗの段部Ｕにおいて、外周面Ｒの小径部分に隣接する円環面からなり回転軸線ＷＯに直交する端面Ｅが形成されていても、溝入れする外周面Ｒの位置に係わらず、精度の高い外径溝入れが行えるのである。
【００６０】
尚、本実施形態においては、図４の正面視でインサート幅軸線Ｃ２及び切れ刃３２Ａの正面切れ刃４１が回転軸線ＷＯに平行に延びているとして説明したが、この正面切れ刃４１が、前記他方の幅方向Ｃ２Ａに向かって端面Ｅから離間するに従い漸次回転方向ＷＴの前方側又は後方側へ向けて傾斜して形成された場合には、被削材Ｗに形成する溝の溝底Ｄを回転軸線ＷＯに対してより平行に形成できるという効果を奏する。すなわち、切れ刃３２Ａにおいてコーナー部４３Ａよりも溝入れ方向ＹＡに突出するコーナー部４３Ｂが、工具仮想平面ＶＳ３から下側又は上側へ向けて離間されるとともに回転軸線ＷＯから離間されることになり、該回転軸線ＷＯに対する溝底Ｄの傾斜角が抑制される。
【００６１】
（第２実施形態）
次に、本発明の第２の実施形態に係る刃先交換式溝入れ工具２０について、図７〜図１０を参照して説明する。尚、前述の実施形態と同一部材には同一の符号を付し、その説明を省略する。
【００６２】
本実施形態の刃先交換式溝入れ工具２０は、軸状に形成されその中心軸線ＴＯに直交する断面が略円形をなす工具本体１と、この工具本体１の中心軸線ＴＯに沿う先端部３に着脱自在に装着されて該工具本体１の外周面１Ｂから側方へ向けて切れ刃３２Ａを突出させる切削インサート３０とを有している。すなわち、図８に示すように、工具仮想平面ＶＳ３に直交する向きから見て、本実施形態の刃先交換式溝入れ工具２０は、切削インサート３０のインサート長手軸線Ｃ１を工具本体１の中心軸線ＴＯに直交させるように配置しており、切削インサート３０は工具本体１の先端部３の先端面に沿うように配置されている。また、図８において、工具本体１は被削材Ｗの回転軸線ＷＯに対して略平行に延びるようにＸ方向に沿って配置されているとともに、一方の切れ刃３２Ａを溝入れ方向ＹＡへ向けて突出させている。
【００６３】
この刃先交換式溝入れ工具２０は、略円筒状の被削材Ｗに内径溝入れ加工を行うものである。被削材Ｗにおいて円柱穴状をなす加工穴Ｈには、その最奥部に該被削材Ｗの回転軸線ＷＯに直交する円形状の平面からなる奥面（端面）Ｂが形成されている。この奥面Ｂは、加工穴Ｈの内周面（周面）Ｓに隣接している。刃先交換式溝入れ工具２０は、回転軸線ＷＯを中心に回転方向ＷＴに回転する被削材Ｗにおいて該回転軸線ＷＯを中心に形成された加工穴Ｈに工具本体１の先端部３を挿入して、一方の切れ刃３２Ａのコーナー部４３Ａを被削材Ｗの奥面Ｂに当接させるように近接配置した状態で、該奥面Ｂに沿って被削材Ｗの径方向外側へ向け溝入れ方向ＹＡに移動して、切れ刃３２Ａが該加工穴Ｈの回転軸線ＷＯ側を向く内周面Ｓに対して溝入れ加工する。尚、本実施形態においては、被削材Ｗの回転方向ＷＴが前述の第１実施形態とは反対に設定されている。
【００６４】
本実施形態の刃先交換式溝入れ工具２０においては、図９の切削インサート３０の側面視（工具本体１においては正面視）に示すように、切削インサート３０のインサート長手軸線Ｃ１が、前記一方の延在方向Ｃ１Ａへ向かうに従い漸次インサート本体３１の上面側（図９における上下方向（Ｚ方向）の上方側）から下面側（図９におけるＺ方向の下方側）へ向けて工具仮想平面ＶＳ３に接近するように延びている。またこれにより、切れ刃３２Ｂの正面切れ刃４１が、工具仮想平面ＶＳ３に対してインサート本体３１の上面側（図９における上下方向（Ｚ方向）のうち上方側）へ向けて離間されている。尚、切削インサート３０のインサート長手軸線Ｃ１が前記一方の延在方向Ｃ１Ａに向かうに従い漸次インサート本体３１の上面側へ向けて傾斜しているとともに、切れ刃３２Ｂが工具仮想平面ＶＳ３に対してインサート本体３１の下面側に配置されていてもよい。或いは、インサート長手軸線Ｃ１が工具仮想平面ＶＳ３に平行とされて、該工具仮想平面ＶＳ３内に配置されていても構わない。
【００６５】
また図示しないが、切削インサート３０を正面（すなわち正面逃げ面５１側）から見て、切削インサート３０のインサート幅軸線Ｃ２及び一方の切れ刃３２Ａの正面切れ刃４１は、被削材Ｗの回転軸線ＷＯに平行とされている。尚、この正面視において、切れ刃３２Ａの正面切れ刃４１が、前記他方の幅方向Ｃ２Ａとは反対側へ向かって奥面Ｂに接近するに従い漸次回転方向ＷＴの前方側又は後方側へ向けて傾斜しているとともに、回転軸線ＷＯに対して傾斜して形成されていても構わない。
【００６６】
そして、図８及び図１０に示すように、工具仮想平面ＶＳ３に直交するとともにすくい面３３に対向する向きから見て、この切削インサート３０は、他方の切れ刃３２Ｂにおける前記他方の幅方向Ｃ２Ａとは反対側に位置するコーナー部４３Ｃが、一方の切れ刃３２Ａにおける前記反対側に位置するコーナー部４３Ａよりも前記他方の幅方向Ｃ２Ａ側に配置されている。すなわち、一方の切れ刃３２Ａにおける工具本体１の先端側（図１０における左側）に位置するコーナー部４３Ａは、他方の切れ刃３２Ｂにおける前記先端側に位置するコーナー部４３Ｃよりも、前記先端側に配置されている。本実施形態では、切れ刃３２Ｂにおいて奥面Ｂ側に位置するコーナー部４３Ｃが、切れ刃３２Ａにおいて奥面Ｂ側に位置するコーナー部４３Ａに対して、奥面Ｂから離間されている。
【００６７】
本実施形態に係る刃先交換式溝入れ工具２０によれば、被削材Ｗに形成された円柱穴状の加工穴Ｈにおいて、回転軸線ＷＯに直交する奥面Ｂに沿って該被削材Ｗの内周面Ｓに溝入れ加工（内径溝入れ）する場合であっても、溝入れする内周面Ｓの位置に係わらず、切れ刃３２Ｂのコーナー部４３Ｃが奥面Ｂから離間されて、このコーナー部４３Ｃが該奥面Ｂに接触して傷付けてしまうようなことが確実に防止されるとともに、精度の高い内径溝入れが行える。また、この接触によって、未使用の他方の切れ刃３２Ｂが傷んでしまうようなことが防止される。
【００６８】
また、切削インサート３０のインサート長手軸線Ｃ１が、前記一方の延在方向Ｃ１Ａへ向かうに従い漸次工具仮想平面ＶＳ３に接近するように傾斜して、インサート本体３１の下面側へ向けて延びている。すなわち、工具仮想平面ＶＳ３に対して、他方の切れ刃３２Ｂがインサート本体３１の上面側へ向けて離間されているので、一方の切れ刃３２Ａのくさび角β（図９においてすくい面３３と正面逃げ面５１とのなす角度）を比較的大きく設定できる。従って、被削材Ｗに溝入れ加工する一方の切れ刃３２Ａの刃先強度が十分に確保される。
【００６９】
また、このような切削インサート３０の装着姿勢によれば、工具本体１の先端部３において該切削インサート３０の下面を支持する下顎部７の肉厚を十分に確保でき、該下顎部７の機械的強度が高められる。さらに、切れ刃３２Ａの正面切れ刃４１に連なる正面逃げ面５１が溝底Ｄから離間されて、該溝底Ｄに接触するようなことが防止される。
【００７０】
尚、本実施形態においては、切削インサート３０の正面視で、インサート幅軸線Ｃ２及び切れ刃３２Ａの正面切れ刃４１が回転軸線ＷＯに平行に延びているとして説明したが、この正面切れ刃４１が、前記他方の幅方向Ｃ２Ａとは反対側へ向かって奥面Ｂに接近するに従い漸次回転方向ＷＴの前方側又は後方側へ向けて傾斜して形成された場合には、被削材Ｗに形成する溝の溝底Ｄを回転軸線ＷＯに対してより平行に形成できるという効果を奏する。すなわち、切れ刃３２Ａにおいてコーナー部４３Ｂよりも溝入れ方向ＹＡとは反対側に窪むコーナー部４３Ａが、工具仮想平面ＶＳ３から下側又は上側へ向けて離間されるとともに回転軸線ＷＯから離間されることになり、該回転軸線ＷＯに対する溝底Ｄの傾斜角が抑制される。
【００７１】
尚、本発明は前述の実施形態に限定されるものではなく、本発明の趣旨を逸脱しない範囲において種々の変更を加えることができる。
例えば、前述した実施形態では、工具本体１の先端部３にインサート取付座４が形成されていることとしたが、これに限定されるものではなく、先端部３に着脱可能なヘッド部が装着されているとともに、このヘッド部にインサート取付座４が形成されていることとしてもよい。また、前述した工具本体１の形状は、前述の実施形態で説明したものに限定されない。
【００７２】
また、切れ刃３２の一対のコーナー部４３は、前述の実施形態において説明した形状に限定されるものではない。図１１及び図１２は、コーナー部４３の変形例を示している。図１１においては、コーナー部４３は、凸曲線状をなし、正面切れ刃４１及び側面切れ刃４２を滑らかに繋ぐ第１コーナー刃４４を有している。そして、一方の切れ刃３２Ａにおけるコーナー部４３Ａは、このコーナー部４３Ａに隣接する正面切れ刃４１の延長線ＶＬ１と第１コーナー刃４４におけるインサート本体３１の幅方向の外縁部から延長線ＶＬ１に向けて延ばした垂線ＶＬ２との交点Ｐを、前記工具仮想平面ＶＳ３上に配置している。また図示しないが、コーナー部４３Ｂは、このコーナー部４３Ｂに隣接する正面切れ刃４１の延長線と該コーナー部４３Ｂの第１コーナー刃４４におけるインサート本体３１の幅方向の外縁部から前記延長線に向けて延ばした垂線との交点を、前記工具仮想平面ＶＳ３上に配置している。この場合、各コーナー部４３における刃先欠損等が防止される。
【００７３】
また図１２においては、コーナー部４３は、第１コーナー刃４４と、該第１コーナー刃４４におけるインサート本体３１の延在方向に沿う中央側（図１２における上方側）の端部と側面切れ刃４２とを繋ぐ直線状の第２コーナー刃４５とを有している。切削インサート３０を工具仮想平面ＶＳ３に直交する向きから見て、第２コーナー刃４５は、被削材Ｗの回転軸線ＷＯに対して直交するように延びているとともに、端面Ｅ又は奥面Ｂに対して平行に延びて形成されている。この場合、一方の切れ刃３２Ａの正面切れ刃４１及び第１コーナー刃４４が切削した被削材Ｗの溝壁をこの第２コーナー刃４５がさらうことになり、該溝壁の仕上げ精度が高められる。
【００７４】
また、前述の実施形態では、切削インサート３０の切れ刃３２Ａが、被削材Ｗの端面Ｅ、Ｂに沿って周面Ｒ、Ｓに溝入れ加工することとしたが、これに限定されるものではない。例えば、被削材Ｗの端面Ｅ、Ｂから離間した周面Ｒ、Ｓ部分を溝入れ加工することとしても構わない。本発明の実施形態によれば、被削材Ｗの端面Ｅ、Ｂに隣接した周面Ｒ、Ｓ部分又は離間した周面Ｒ、Ｓ部分のいずれを溝入れする場合であっても、高精度の切削加工を行うことができる。
【符号の説明】
【００７５】
１  工具本体
３  先端部
３Ｃ  一側面
１０、２０  刃先交換式溝入れ工具
３０  切削インサート
３１  インサート本体
３２  切れ刃
３２Ａ  一方の切れ刃
３２Ｂ  他方の切れ刃
４１  正面切れ刃
４２  側面切れ刃
４３  コーナー部
４３Ａ  一方の切れ刃において他方の幅方向Ｃ２Ａとは反対側に位置する一方のコーナー部
４３Ｂ  一方の切れ刃において他方の幅方向Ｃ２Ａ側に位置する他方のコーナー部
４３Ｃ  他方の切れ刃において他方の幅方向Ｃ２Ａとは反対側に位置する一方のコーナー部
４３Ｄ  他方の切れ刃において他方の幅方向Ｃ２Ａ側に位置する他方のコーナー部
４４  第１コーナー刃
４５  第２コーナー刃
Ｂ  奥面（端面）
Ｃ１  インサート長手軸線（インサート本体の延在方向）
Ｃ２  インサート幅軸線（インサート本体の幅方向）
Ｃ２Ａ  インサート本体の幅方向のうち、一方のコーナー部から他方のコーナー部に向かう方向である、他方の幅方向
Ｃ３  インサート高さ軸線（インサート本体の高さ方向）
Ｅ  端面
Ｒ  被削材の外周面（周面）
Ｓ  内周面（周面）
ＴＯ  工具本体の中心軸線
ＶＳ１  インサート仮想平面
ＶＳ３  工具仮想平面
Ｗ  被削材
ＷＯ  被削材の回転軸線
ＹＡ  溝入れ方向
θ１  インサート幅軸線と被削材の回転軸線とのなす角度
【図１】
0005526804.tif 000002
【図２】
0005526804.tif 000003
【図３】
0005526804.tif 000004
【図４】
0005526804.tif 000005
【図５】
0005526804.tif 000006
【図６】
0005526804.tif 000007
【図７】
0005526804.tif 000008
【図８】
0005526804.tif 000009
【図９】
0005526804.tif 000010
【図１０】
0005526804.tif 000011
【図１１】
0005526804.tif 000012
【図１２】
0005526804.tif 000013
【図１３】
0005526804.tif 000014
【図１４】
0005526804.tif 000015
【図１５】
0005526804.tif 000016